(57)【要約】【課題】 使用期間の経過に伴う燃料のリーク量の増加に対処すべく、暖態時においても、噴射量を増量し、始動性を確保できる手段を提供する。【解決手段】燃料噴射ポンプ２と、前記燃料噴射ポンプ２のコントロールラックを操作する電子ガバナ４と、前記電子ガバナ４を制御するコントローラ５と、前記コントローラ５に始動時噴射量を増量させる指令を入力するための操作手段８とを具備する燃料噴射量の制御機構であって、始動時にオペレータにより前記操作手段８が操作された際に、前記コントローラ５は、前記電子ガバナ４にて前記コントロールラックの位置を噴射量増量側の位置にセットし、エンジン１の始動性を向上させることとする。【選択図】図１
2006046269.tif 000002
【特許請求の範囲】
【請求項１】
燃料噴射ポンプと、
前記燃料噴射ポンプのコントロールラックを操作する電子ガバナと、
前記電子ガバナを制御するコントローラと、
前記コントローラにコントロールラックの位置を噴射量増量側にセットさせるための指令を入力するための操作手段とを具備する燃料噴射量の制御機構であって、
始動時に前記操作手段が操作されると、
前記コントローラは、前記電子ガバナにて前記コントロールラックの位置を噴射量増量側の位置にセットし、
エンジンの始動性を向上させることとした、燃料噴射量の制御機構。
【請求項２】
エンジンを始動するためのセルモータと、
燃料噴射ポンプと、
前記燃料噴射ポンプのコントロールラックを操作する電子ガバナと、
前記電子ガバナを制御するコントローラとを具備する燃料噴射量の制御機構であって、
始動時に前記セルモータの通電時間が所定時間以上となったときに、
前記コントローラは、前記電子ガバナにて前記コントロールラックの位置を噴射量増量側の位置にセットし、
エンジンの始動性を向上させることとした、燃料噴射量の制御機構。
【請求項３】
前記コントローラは、
前記セルモータの通電時間に応じて、
前記コントロールラックの位置の増量側への変化量を変化させる、
ことを特徴とする、請求項２に記載の燃料噴射量の制御機構。
【請求項４】
前記コントローラは、
エンジンが暖態状態であると判断した場合には、
前記コントロールラックの位置の増量側への変化率を大とする、
ことを特徴とする、請求項２又は請求項３に記載の燃料噴射量の制御機構。
【請求項５】
低温始動時進角装置を備える燃料噴射ポンプと、
前記低温始動時進角装置を制御するコントローラと、
前記コントローラに前記低温始動時進角装置を作動させる指令を入力するための操作手段とを具備する燃料噴射量の制御機構であって、
始動時に前記操作手段が操作されると、
前記コントローラは、前記低温始動時進角装置を作動させ、
エンジンの始動性を向上させることとした、燃料噴射量の制御機構。
【請求項６】
エンジンを始動するためのセルモータと、
低温始動時進角装置を備える燃料噴射ポンプと、
前記低温始動時進角装置を制御するコントローラとを具備する燃料噴射量の制御機構であって、
前記コントローラは、
始動時に前記セルモータの通電時間が所定時間以上となったときに、
前記コントローラは、前記低温始動時進角装置を作動させ、
エンジンの始動性を向上させることとした、燃料噴射量の制御機構。
【発明の詳細な説明】
【技術分野】
【０００１】
本発明は、ディーゼルエンジンの燃料噴射量の制御機構に関するものであり、より詳しくは、電子制御ガバナによるラック位置の制御、及び低温始動時進角装置の制御に関するものである。
【背景技術】
【０００２】
従来、電子制御ガバナによりコントロールラックを動作させる、即ち、コントロールラックのラック位置を制御することにより、燃料噴射量の調量を行う構成の燃料噴射ポンプは周知となっている。そして、低温始動時では、電子制御ガバナによって燃料噴射量を増量させることにより、低温時の始動性の向上を図ることとしている（例えば、特許文献１参照。）。
また、プランジャバレルや分配軸バレルに燃料戻し経路を設けることで、プランジャバレルとプランジャとの間の隙間や、分配軸バレルと分配軸との間の隙間へ浸入する燃料をカム室へリークさせないようにした構成についても周知となっている（例えば、特許文献２参照。）。
また、噴射時期の進角／遅角を行うための低温始動時進角装置を備え、低温始動時では、この低温始動時進角装置によって噴射時期を進角させ、これにより、燃料噴射量も増量させることにより、低温時の始動性の向上を図る構成についても周知となっている（例えば、特許文献２参照。）。
【特許文献１】特開平１１−２１３７号公報
【特許文献２】特開２００１−３２３８６０号公報
【発明の開示】
【発明が解決しようとする課題】
【０００３】
上記のように、従来は、特に低温始動時における始動性の確保のため、噴射量増量を行うものとしていた。これは、低温始動時でない場合、即ち、機関の周囲温度が高い場合や、作業機運転後に間もなく始動された場合等の暖態始動時では、燃料の増量を行わなくても始動性が確保できると考えられているためである。
ところが、燃料中にはミクロンオーダの異物が混入することがあり、この異物がプランジャバレルとプランジャの間の隙間、及び、分配軸バレルと分配軸の間の隙間に入り込んで、プランジャ等の摺動面を摩耗させてしまうことが考えられる。
このようなことが原因で、使用期間が長期化するに伴って上記の燃料のリーク量が増加することが考えられる。このようにリーク量が増加してしまうと、暖態時においても、始動性が悪化する場合がある。
そこで、使用期間の経過に伴う燃料のリーク量の増加に対処すべく、暖態時においても、コントロールラックの位置を噴射量増量側にセットし、始動性を確保できる手段を講じる必要がある。
【０００４】
他方、上記暖態始動時では、燃料の温度が高くなるものであり、これにより燃料の粘度が低下し、プランジャや分配軸の周囲の隙間への燃料のリーク量が増加することになる。
このように、暖態始動時では、燃料のリーク量の増加による始動性の悪化が考えられる。
そこで、燃料温度が高いことに伴う燃料のリーク量の増加に対処すべく、暖態時においても、ラック位置を噴射量増量側にセットし、始動性を確保できる手段を講じる必要がある。
【課題を解決するための手段】
【０００５】
本発明の解決しようとする課題は以上のごとくであり、次にこの課題を解決するための手段を説明する。
【０００６】
即ち、請求項１に記載のごとく、燃料噴射ポンプと、前記燃料噴射ポンプのコントロールラックを操作する電子ガバナと、前記電子ガバナを制御するコントローラと、前記コントローラにコントロールラックの位置を噴射量増量側にセットさせるための指令を入力するための操作手段とを具備する燃料噴射量の制御機構であって、始動時に前記操作手段が操作されると、前記コントローラは、前記電子ガバナにて前記コントロールラックの位置を噴射量増量側の位置にセットし、エンジンの始動性を向上させることとするものである。
【０００７】
また、請求項２に記載のごとく、エンジンを始動するためのセルモータと、燃料噴射ポンプと、前記燃料噴射ポンプのコントロールラックを操作する電子ガバナと、前記電子ガバナを制御するコントローラとを具備する燃料噴射量の制御機構であって、始動時に前記セルモータの通電時間が所定時間以上となったときに、前記コントローラは、前記電子ガバナにて前記コントロールラックの位置を噴射量増量側の位置にセットし、エンジンの始動性を向上させることとするものである。
【０００８】
また、請求項３に記載のごとく、前記コントローラは、前記セルモータの通電時間に応じて、前記コントロールラックの位置の増量側への変化量を変化させることとするものである。
【０００９】
また、請求項４に記載のごとく、前記コントローラは、エンジンが暖態状態であると判断した場合には、前記コントロールラックの位置の増量側への変化率を大とするものである。
【００１０】
また、請求項５に記載のごとく、低温始動時進角装置を備える燃料噴射ポンプと、前記低温始動時進角装置を制御するコントローラと、前記コントローラに前記低温始動時進角装置を作動させる指令を入力するための操作手段とを具備する燃料噴射量の制御機構であって、始動時に前記操作手段が操作されると、前記コントローラは、前記低温始動時進角装置を作動させ、エンジンの始動性を向上させることとするものである。
【００１１】
また、請求項６に記載のごとく、エンジンを始動するためのセルモータと、低温始動時進角装置を備える燃料噴射ポンプと、前記低温始動時進角装置を制御するコントローラとを具備する燃料噴射量の制御機構であって、前記コントローラは、始動時に前記セルモータの通電時間が所定時間以上となったときに、前記コントローラは、前記低温始動時進角装置を作動させ、エンジンの始動性を向上させることとするものである。
【発明の効果】
【００１２】
本発明の効果として、以下に示すような効果を奏する。
【００１３】
即ち、請求項１に記載の発明では、オペレータは、任意に始動時の燃料噴射量を増量することができるので、これにより、確実にエンジンを始動させることができる。
【００１４】
また、請求項２に記載の発明では、始動性が良好でない場合、オペレータが意識しなくても、自動的に燃料噴射量が増加され、これにより、始動性を向上することができる。
【００１５】
また、請求項３に記載の発明では、エンジン始動性の悪さに応じて最適な燃料噴射量を設定することができる。これにより、エンジン始動性がそれほど悪くない場合には、燃料噴射量の増量を少なく抑えることができ、燃料噴射量の過剰な増量や、これに伴う多量な黒煙発生を防ぐことができる。また、エンジン始動性が大きく低下している場合には、燃料噴射量を大幅に増量することで、エンジンを確実に始動させることができるようになる。
【００１６】
また、請求項４に記載の発明では、暖態時において、燃料の粘度の低下によりリーク量が増加した場合でも、ラック位置コントロールラックの位置が素早く噴射量増量側にセットされるため、始動性の更なる改善が図られる。
【００１７】
また、請求項５に記載の発明では、オペレータは、任意に始動時の燃料噴射量を増量することができるので、これにより、確実にエンジンを始動させることができる。
【００１８】
また、請求項６に記載の発明では、始動性が良好でない場合、オペレータが意識しなくても、自動的に燃料噴射量が増加され、これにより、始動性を向上することができる。
【発明を実施するための最良の形態】
【００１９】
次に、本発明の実施の形態を、図面に基づいて説明する。
【実施例１】
【００２０】
図１は、本発明にかかる燃料噴射量の制御機構を具現するための装置構成例について示すものである。
エンジン１には、燃料噴射ポンプ２、セルモータ３が付設される。燃料噴射ポンプ２には、電子ガバナ４、低温始動時進角装置２１が備えられている。
前記セルモータ３の通電状況は、コントローラ５によって認識される。また、前記電子ガバナ４は、コントローラ５によって制御される。
また、エンジン１には、冷却水温度センサ６が設けられ、前記コントローラ５によってエンジン冷却水温度が認識されるようになっている。
また、前記コントローラ５には、スタータスイッチ７が接続されており、オペレータによってスタータスイッチ７が操作されると、前記セルモータ３に通電がされ、エンジン１が始動されるようになっている。
また、前記コントローラ５には、該コントローラ５にコントロールラックの位置（以下、単に「ラック位置」とする）を噴射量増量側にセットさせる指令を入力するための操作手段８が接続されており、オペレータによって操作手段８が操作されると、コントローラ５は、前記電子ガバナ４を制御してラック位置を噴射量増量側にセットする。
【００２１】
前記燃料噴射ポンプ２においては、電子ガバナ４によってコントロールラックが操作されるものとし、該ラック位置が変更されることにより、燃料噴射量が調量されるようになっている。
また、前記燃料噴射ポンプ２においては、前記低温始動時進角装置２１によって、圧縮される燃料の溢流の有無を切替えることによる、噴射時期の進角／遅角が行われるものとしている。低温始動時では、この低温始動時進角装置２１によって噴射時期が進角され、これに伴って、燃料噴射量も増量させることにより、低温時の始動性の向上を図ることとしている。
【００２２】
また、燃料噴射ポンプ２は、例えば、図２に示すごとくの構成とする。
この燃料噴射ポンプ２においては、電子ガバナ４によりリンク４９を介して図示せぬコントロールラックが操作されるものとし、該コントロールラックの位置（ラック位置）が変更されることにより、燃料噴射量が調量されるようになっている。
また、前記燃料噴射ポンプ２においては、前記低温始動時進角装置２１によって、圧縮される燃料の溢流の有無を切替えることによる、噴射時期の進角／遅角が行われるものとしている。低温始動時では、この低温始動時進角装置２１によって噴射時期が進角され、これに伴って、燃料噴射量も増量させることにより、低温時の始動性の向上を図ることとしている。
また、カム軸４２に設けたカム４３の回転により、プランジャ４５が上下方向に摺動されるものとしており、プランジャ４５の上面と、プラグ４６との間に燃料圧室が形成され、該燃料圧室にて燃料が圧縮されるものとしている。
また、該燃料圧室内の圧力を検出するため、例えば、プラグ４６に、圧力センサ５１（図１参照）が設けられるものとしている。
また、該燃料圧室内の燃料温度を検出するため、例えば、プラグ４６に、燃料温度センサ５２（図１参照）が設けられるものとしている。
また、前記プランジャ４５は、プランジャバレル４４内で摺動されるものであり、このプランジャ４５とプランジャバレル４４との間には隙間が形成されるため、この隙間に圧縮される燃料が浸入する、つまり、燃料リークが発生する。また、分配軸スリーブ４８内では、分配軸４７が回転摺動する構成としており、この分配軸スリーブ４８と分配軸４７の間の隙間においても、燃料リークが発生するものである。この燃料のリーク量は、燃料の温度が高く、これに伴って燃料の粘度が低下した場合や、粘度の低い燃料が使用された場合に増加することになる。
【００２３】
以上のように、燃料噴射量の制御機構は、燃料噴射ポンプ２と、前記燃料噴射ポンプ２のコントロールラックを操作する電子ガバナ４と、前記電子ガバナ４を制御するコントローラ５と、前記コントローラ５にラック位置を噴射量増量側にセットさせる指令を入力するための操作手段８を具備する構成としている。
そして、この構成において、始動時にオペレータにより前記操作手段８が操作された際に、前記コントローラ５は、前記電子ガバナ４にて前記ラック位置を噴射量増量側の位置にセットし、エンジン１の始動性を向上させることとしている。
尚、「コントロールラックの位置を噴射量増量側の位置にセットする」とは、通常始動する際と比較して、燃料噴射量が増量されるように、コントロールラックの位置が設定されることをいうものであり、図３の制御マップにおいて、通常始動される際に使用されるラック位置をＲ１とすると、このラック位置Ｒ１よりも燃料噴射量を増量する側、即ち、ラック位置Ｒ１よりも上側（例えばラック位置Ｒ２）に設定することをいうものである。
【００２４】
図３に示す制御マップは、縦軸をラック位置Ｒ、横軸を機関回転数Ｎとするものであり、コントローラ５は、通常の場合、即ち、前記操作手段８が操作されない場合では、制御マップ６１を用いて電子ガバナ４を制御するものとし、これにより、ラック位置は制御マップ６１に則って設定される。
通常は、この制御マップ６１が用いられるため、通常の始動時では（機関回転数Ｎａとなるまで）、ラック位置はＲ１に設定される。
他方、始動時にオペレータにより前記操作手段８が操作され、ラック位置を噴射量増量側の位置にセットする指令がコントローラ５に入力された場合には、該コントローラ５は、制御マップ６２を用いて電子ガバナ４を制御することとし、これにより、機関回転数Ｎａとなるまでの始動時では、ラック位置は、前記Ｒ１よりも増量側のＲ２に設定される。
そして、始動後においては、コントローラ５は、制御マップ６２の使用から制御マップ６１の使用に切替え、該制御マップ６１を使用した通常と同様のラック位置制御（電子ガバナ４の制御）を行う。
【００２５】
以上によれば、オペレータは、任意にラック位置を噴射量増量側の位置にセットすることができるので、例えば、プランジャの摺動面での燃料のリーク量の増加等が原因で、始動性が良好でない場合であっても、確実にエンジンを始動させることができる。
尚、上記では、制御マップ６１に加え、新たに制御マップ６２を設定する例について述べたが、この例に限定されるものではなく、例えば、制御マップ６２の設定を変更可能に構成とすることや、さらには、別の制御マップを設ける等して、オペレータの任意で燃料噴射量を選定可能に構成する等が考えられる。
【実施例２】
【００２６】
本実施例は、始動性が良好でない場合に、自動的に電子ガバナ４を作動させ、ラック位置を噴射量増量側の位置にセットすることにより、始動性を向上させることとするものである。
本実施例の燃料噴射量の制御機構は、図１に示すごとく、エンジンを始動するためのセルモータ３と、エンジンの冷却水温度を検知する冷却水温度センサ６と、燃料噴射ポンプ２と、前記燃料噴射ポンプ２のコントロールラックを操作する電子ガバナ４と、前記電子ガバナ４を制御するコントローラ５とを具備する構成としている。
そして、始動時に前記セルモータ３の通電時間が所定時間以上となったときに、つまり、エンジンが始動しづらく、オペレータによってスタータスイッチ７が所定時間操作し続けられたときに、前記コントローラ５は、前記電子ガバナ４にて前記ラック位置を噴射量増量側の位置にセットし、エンジンの始動性を向上させることとするものである。
本実施例においても、図３に示すごとくの制御マップが使用されるものであり、コントローラ５は、例えば、セルモータ３の通電時間が３秒となる場合、つまりは、なかなか始動せず、オペレータによってスタータスイッチ７が３秒間操作され続けたような場合には、制御マップ６２を使用し、前記ラック位置を、通常の始動時において使用される位置Ｒ１よりも増量側の位置Ｒ２にセットするものである。尚、このように増量側に設定する場合のセルモータ３の通電時間の長さについては特に限定するものではなく、上記の例ように３秒と設定するものの他、エンジンや燃料噴射ポンプの仕様に合わせて個別に設定されるものとする。
以上によれば、始動性が良好でない場合、オペレータが意識しなくても、自動的に燃料噴射量が増加され、これにより、始動性を向上することができる。
【００２７】
また、以上のように、セルモータ３の通電時間に基づいて燃料噴射量を増加させるものであるが、この通電時間の長短と燃料噴射量を関連づけることも可能である。
即ち、前記コントローラ５は、前記セルモータ３の通電時間に応じて、前記コントロールラックの位置の増量側への変化量を変化させることとするものである。
図４に示す制御マップは、縦軸をラック位置Ｒ、横軸をセルモータ３の通電時間Ｔとするものであり、通常の始動時においては、セルモータ３の通電時間がＴ１のとき、ラック位置をＲ１に設定し、この設定において始動が試みられることになっている。
そして、通電時間Ｔ１で始動しない場合には、制御マップ６３に示されるごとく、通電時間が長くなるにしたがって、より増量側のラック位置が設定され、通電時間Ｔ２となった場合には、コントロールラックがラック位置Ｒ２に設定されることとしている。
セルモータ３の通電時間が長くなるのは、始動性が悪く、エンジンがなかなか始動せずに、上記スタータスイッチ７がオペレータによって操作され続けるためであり、このような場合には、通電時間の長さに応じて、つまり、通電時間が長くなればなるほど、ラック位置をより増量側に設定することとする。
以上によれば、エンジン始動性の悪さに応じて最適な燃料噴射量を設定することができる。これにより、エンジン始動性がそれほど悪くない場合には、燃料噴射量の増量を少なく抑えることができ、燃料噴射量の過剰な増量や、これに伴う多量な黒煙発生を防ぐことができる。また、エンジン始動性が大きく低下している場合には、燃料噴射量を大幅に増量することで、エンジンを確実に始動させることができるようになる。
【００２８】
また、以上のように、セルモータ３の通電時間に応じて、前記ラック位置の増量側への変化量を変化させることに加え、エンジン冷却水温度の条件も踏まえて燃料噴射量を設定するものとすることもできる。
これは、エンジン冷却水温度が高い場合は、エンジンが暖態状態であって、燃料の粘度が低下するため、燃料噴射ポンプ２において、上述した燃料のリーク量が増加しやすい状況となっている。そこで、この燃料の粘度の低下を加味し、暖態時では、通常時よりも、燃料噴射量をより増量させることにより、エンジンの始動性の向上を図ろうとするものである。
このことを実現すべく、前記コントローラ５は、冷却水温度センサ６により検出されるエンジン冷却水温度に基づき、エンジンが暖態状態であると判断した場合には（例えば、冷却水温度が５０℃のとき等）、前記コントロールラックの位置の増量側への変化率、即ち、セルモータの通電時間に対するコントロールラックの位置の増量側への変化の割合を、暖態状態でないとき（通常状態）に比べて大とすることとする。一方、エンジンが通常状態であると判断した場合には（例えば、冷却水温度が１０℃のとき等）、前記コントロールラックの位置の増量側への変化率を、暖態状態のときに比べて小とすることとする。
図４の制御マップ６４は、エンジン冷却水温度が高い場合において使用されるものであり、エンジン冷却水温度が高くない場合において使用される制御マップ６３と比較して、ラック位置の増量側への変化率が大きく設定され、セルモータ３の通電時間Ｔ３となった時点でラック位置Ｒ２に設定されるものとしている。つまり、制御マップ６３では、通電時間Ｔ２となった時点でラック位置Ｒ２に設定されるところ、制御マップ６４では、この通電時間Ｔ２よりも短い通電時間Ｔ３となった時点でラック位置Ｒ２に設定されることとするものである。
【００２９】
以上によれば、暖態時において、燃料の粘度の低下によりリーク量が増加した場合でも、ラック位置が素早く噴射量増量側にセットされるため、始動性の更なる改善が図られる。
尚、図４に示す例では、エンジン冷却水温度が所定温度以上（例えば、５０℃）の場合、即ち、エンジン冷却水温度が或る閾値を超えて上昇したときに、初めて制御マップ６４が使用されることとしているが、特定の閾値を設けずに、各冷却水温度に対応してラック位置が定められる制御マップが予め設定される構成としてもよい。
また、本実施例においては、エンジン冷却水温度が０℃以下の場合には、セルモータ３の通電時間が長い場合であっても、燃料噴射量の増量を行わないこととするのが望ましい。低温時では、燃料噴射量の増量によって、却って始動性を悪化させてしまうこともあるからである。
また、エンジンが暖態状態であるか否かの判断は、冷却水温度を基準とするほか、燃料温度や、エンジン潤滑油温度を基準としてもよい。
【実施例３】
【００３０】
本実施例は、オペレータの任意により、前記低温始動時進角装置２１（図１参照）を作動させることにより、始動性の向上を図ろうとするものである。
本実施例において、図１に示すごとく、燃料噴射量の制御機構は、低温始動時進角装置２１を備える燃料噴射ポンプ２と、前記低温始動時進角装置２１を制御するコントローラ５と、前記コントローラ５に前記低温始動時進角装置２１を作動させる操作手段９とを具備する構成としている。
そして、この構成において、始動時にオペレータにより前記操作手段９が操作された際に、前記コントローラ５は、前記低温始動時進角装置２１を作動させ、燃料の溢流を規制することで燃料噴射量を増加させ、エンジン１の始動性を向上させることとしている。エンジン１の始動後は、コントローラ５は、低温始動時進角装置２１を非作動の状態とし、該低温始動時進角装置２１による燃料噴射量の増量の操作を終了させる。
【００３１】
コントローラ５は、図５に示す制御マップにより、エンジン冷却水温度に対応して、自動的に低温始動時進角装置２１（ＣＳＤ；Ｃｏｌｄ  Ｓｔａｒｔ  Ｄｅｖｉｃｅ）を作動させる又は非作動とすることとしている。
この制御マップの例では、横軸をエンジン冷却水温度とし、エンジン冷却水温度が５℃以下の場合には、低温始動時進角装置２１を作動させることとしている。
そして、始動時にオペレータにより前記操作手段９が操作された場合には、コントローラ５は、エンジン冷却水温度に関係なく、即ち、エンジン冷却水温度が５℃以上であっても、低温始動時進角装置２１を作動させる。図５の点線６５では、エンジン冷却水温度が５℃以上の場合において、低温始動時進角装置２１が作動され得ることを表している。
以上によれば、オペレータは、任意に低温始動時進角装置２１を作動させることができるので、例えば、プランジャの摺動面での燃料のリーク量の増加等が原因で、始動性が良好でない場合であっても、確実にエンジンを始動させることができる。
尚、低温始動時進角装置２１の作動／非作動のエンジン冷却水温度の閾値は、特に、上記５℃に限定されるものではない。
【実施例４】
【００３２】
本実施例は、始動性が良好でない場合に、自動的に低温始動時進角装置２１を作動させ、燃料噴射量を増量することにより、始動性を向上させることとするものである。
本実施例の燃料噴射量の制御機構は、図１に示すごとく、エンジンを始動するためのセルモータ３と、低温始動時進角装置２１を備える燃料噴射ポンプ２と、前記低温始動時進角装置２１を制御するコントローラ５とを具備する構成としている。
そして、前記コントローラ５は、始動時に前記セルモータ３の通電時間が所定時間以上のとき、つまり、エンジンが始動しづらく、オペレータによってスタータスイッチ７が所定時間操作し続けられたときに、前記低温始動時進角装置２１を作動させ、エンジンの始動性を向上させることとするものである。
本実施例は、実施例３において、オペレータの任意により低温始動時進角装置２１を作動させていたものを、セルモータ３の通電時間に基づいて、自動的に低温始動時進角装置２１を作動させることとするものである。
このセルモータ３の通電時間を基準とするのは、上記と同様、エンジンが始動し難い状況であることを認識するためである。
【００３３】
コントローラ５は、以上の制御を、図５に示すごとくの制御マップに基づいて行うものであり、セルモータ３の通電時間が長い場合には、仮に、エンジンが暖態状態であると判断されたとしても、点線６５で示されるごとく、低温始動時進角装置２１を作動させて、これにより、燃料噴射量を増量させることで、始動性の向上を図ることとしている。つまり、セルモータ３の通電時間が長い場合には、エンジンの冷態・暖態状態の如何に関わらず、低温始動時進角装置２１を作動させることとするものである。
以上によれば、始動性が良好でない場合、オペレータが意識しなくても、自動的に燃料噴射量が増加され、これにより、始動性を向上することができる。
【図面の簡単な説明】
【００３４】
【図１】本発明にかかる燃料噴射量の制御機構を具現するための装置構成例を示す図。
【図２】燃料噴射ポンプの構成について示す図。
【図３】始動時にラック位置を噴射量増量側の位置にセットさせる制御マップについて示す図。
【図４】セルモータの通電時間、エンジン冷却水温度を基準としてラック位置を設定する制御マップについて示す図。
【図５】低温始動時進角装置の作動／非作動に関する制御マップについて示す図。
【符号の説明】
【００３５】
１    エンジン
２    燃料噴射ポンプ
３    セルモータ
４    電子ガバナ
５    コントローラ
６    冷却水温度センサ
７    スタータスイッチ
８    操作手段
９    操作手段
【図１】
2006046269.tif 000003
【図２】
2006046269.tif 000004
【図３】
2006046269.tif 000005
【図４】
2006046269.tif 000006
【図５】
2006046269.tif 000007